(57)【要約】【課題】複数のシートを分離するための部材に異物が堆積しても、当該部材によるシートの分離やシートの案内が妨げられる可能性を低くする。【解決手段】複合機１０は、用紙Ｓを積層した状態で支持する支持面７１Ａを有するバイパストレイ７１と、バイパストレイ７１に支持された用紙Ｓを第１向き８７に給送する給送ローラ７５と、給送ローラ７５よりも第１向き８７の下流に位置しており、バイパストレイ７１に支持された用紙Ｓの第１向き８７の端と当接して当該用紙Ｓを案内する複数のリブ９３とを備える。複数のリブ９３は、左右方向９に隙間を空けて並んでいる。複数のリブ９３の各々は、第１向き８７に沿って延びている。複数のリブ９３の各々は、第１向き８７へ向かうにしたがって左右方向９の外へ向かうように延びている。【選択図】図４
2019116354.tif 000002
【特許請求の範囲】
【請求項１】
シートを積層した状態で支持するシート支持面を有するトレイと、
上記トレイに支持されたシートを第１向きに給送する給送ローラと、
上記給送ローラよりも上記第１向きの下流に位置しており、上記トレイに支持されたシートの上記第１向きの端と当接して当該シートを案内する複数の当接面と、を備え、
上記複数の当接面は、上記シート支持面に沿っており且つ上記第１向きと直交する幅方向に隙間を空けて並んでおり、
上記複数の当接面の各々は、上記第１向きに沿って延びており、
上記複数の当接面の各々は、上記第１向きの上流端の上記幅方向の位置が上記第１向きの下流端の上記幅方向の位置と異なる給送装置。
【請求項２】
上記複数の当接面のうち少なくとも一部の当接面は、上記第１向きへ向かうにしたがって上記幅方向へ向かうように延びている請求項１に記載の給送装置。
【請求項３】
上記複数の当接面のうち少なくとも一部の当接面は、上記第１向きへ向かうにしたがって上記幅方向の外へ向かうように延びている請求項２に記載の給送装置。
【請求項４】
上記第１向きの上流を向いており、上記第１向きへ向かうにしたがって、上記第１向き及び上記幅方向と直交する方向のうち上記給送ローラへ近づく向きである第２向きへ向かうように上記第１向きに対して傾斜しており、上記第１向きの下流端が上記当接面と繋がっている第１側面と、
上記第１向きの下流を向いており、上記第１向きへ向かうにしたがって上記第２向きと逆向きへ向かうように上記第１向きに対して傾斜しており、上記第１向きの上流端が上記当接面と繋がっている第２側面と、を備え、
上記第２向きに沿った方向に視て、上記当接面は、上記第１側面及び上記第２側面に挟まれており、
上記第１側面の上記第１向きに対してなす角度は、上記第２側面の上記第１向きに対してなす角度よりも大きい請求項２または３に記載の給送装置。
【請求項５】
上記複数の当接面のうち少なくとも一部の当接面は、上記第１向きにおいて並んで配置された複数の子当接面で構成されており、
上記複数の子当接面の各々は、上記幅方向に異なる位置にあり、
隣り合う２つの上記子当接面のうち上記第１向きの下流に位置する下流子当接面の上記第１向きの上流端は、隣り合う２つの子当接面のうち上記第１向きの上流に位置する上流子当接面の上記第１向きの下流端よりも上記第１向きの上流に位置し、
上記下流子当接面の上記第１向きの下流端は、上記上流子当接面の上記第１向きの下流端よりも上記第１向きの下流に位置している請求項１から４のいずれかに記載の給送装置。
【請求項６】
上記複数の子当接面の上記第１向きの上流端部は、上記第１向きの下流へ向かうにしたがって、上記第１向き及び上記幅方向と直交する方向のうち上記給送ローラへ近づく向きである第２向きへ向かっている請求項５に記載の給送装置。
【請求項７】
上記複数の当接面は、
第１当接面と、
上記第１当接面よりも、上記幅方向の外方に位置する第２当接面と、を備え、
上記第１当接面の上記第１向きの上流端の位置と下流端の位置との上記幅方向の距離は、上記第２当接面の上記第１向きの上流端の位置と下流端の位置との上記幅方向の距離よりも長い請求項１から６のいずれかに記載の給送装置。
【請求項８】
上記複数の当接面よりも上記第１向きの下流に位置しており、シートの面のうち上記シート支持面を向く面を案内可能なガイド面を備え、
上記第１向き及び上記幅方向と直交する方向のうち上記給送ローラへ近づく向きである第２向きにおける上記複数の当接面の端は、上記ガイド面の上記第１向きの上流端より上記第２向きに位置する請求項１から７のいずれかに記載の給送装置。
【請求項９】
上記給送ローラよりも上記第１向きの下流に位置する第１面と、
上記第１向き及び上記幅方向と直交する方向のうち上記給送ローラへ近づく向きである第２向きへ上記第１面から突出しており、上記幅方向に間隔を空けて配置された複数のリブと、
上記第１面よりも上記第１向きの下流に位置しており、シートの面のうち上記シート支持面を向く面を案内可能な第２面と、を備え、
上記複数のリブの突出先端は、上記当接面であり、
上記第２面の上記第１向きの上流端は、上記第１面の上記第１向きの下流端よりも上記第２向きに位置する請求項１から８のいずれかに記載の給送装置。
【請求項１０】
上記幅方向において上記複数の当接面のうちの隣り合う２つの当接面の間に位置しており、上記給送ローラによって給送される上記シート支持面に積層されたシートのうち最も上記シート支持面から離れたシートを他のシートから分離する分離片を備え、
上記第１向き及び上記幅方向と直交する方向のうち上記給送ローラへ近づく向きである第２向きにおける上記分離片の端は、上記複数の当接面より上記第２向きに位置する請求項１から９のいずれかに記載の給送装置。
【請求項１１】
上記複数の当接面は、上記幅方向において上記分離片に近いもの程、上記第２向きに位置する請求項１０に記載の給送装置。
【請求項１２】
上記複数の当接面は、外部に露出しており且つ上方を向いている請求項１から１１のいずれかに記載の給送装置。
【発明の詳細な説明】
【技術分野】
【０００１】
本発明は、トレイに積層した状態で支持されたシートを給送する給送装置に関する。
【背景技術】
【０００２】
従来より、複数枚のシートを積層した状態で支持するトレイを有し、トレイからシートを画像記録装置などの装置本体に給送可能な給送装置が知られている。給送装置を備えるものとして、プリンタなどの画像記録装置がある（例えば、特許文献１参照）。
【０００３】
特許文献１に開示された画像記録装置が備える給送装置は、複数枚のシートを積層した状態で支持するバイパストレイを備えている。また、給送装置は、下側ガイド部材を備えている。下側ガイド部材には、バイパストレイに支持されたシートの先端が当接される。下側ガイド部材は、先端が当接している複数枚のシートのうち、最上位置のシートを他のシートから分離する。これにより、シートは、１枚ずつ画像記録装置の装置本体に給送される。
【先行技術文献】
【特許文献】
【０００４】
【特許文献１】特開２０１５−１１３１９１号公報
【発明の概要】
【発明が解決しようとする課題】
【０００５】
しかしながら、上記のような構造が採用された画像記録装置が、塵や埃などの異物が多い環境（例えば砂塵が舞う屋外又はそのような屋外に面し、窓やドア等の仕切りがないか或いはそのような仕切りがほとんど無い露店）に設置された場合、上記異物が画像記録装置に進入して下側ガイド部材に堆積し易い。下側ガイド部材が外部に露出するような構造が採用されている場合、異物の堆積が顕著である。
【０００６】
下側ガイド部材に異物が堆積すると、シートの給送時にシートと異物との間で摩擦が発生するおそれがある。これにより、異物との摩擦が抵抗力となってシートの給送を妨げるおそれがある。また、シートの先端が異物に引っ掛かることで、シートの給送が妨げられたり、シートが変形してシート詰まりが発生したりなどするおそれがある。
【０００７】
本発明は、上記問題に鑑みてなされたものであり、その目的は、複数のシートを分離するための部材に異物が堆積しても、当該部材によるシートの分離やシートの案内が妨げられる可能性を低くすることができる手段を提供することにある。
【課題を解決するための手段】
【０００８】
本発明に係る給送装置は、シートを積層した状態で支持するシート支持面を有するトレイと、上記トレイに支持されたシートを第１向きに給送する給送ローラと、上記給送ローラよりも上記第１向きの下流に位置しており、上記トレイに支持されたシートの上記第１向きの端と当接して当該シートを案内する複数の当接面と、を備える。上記複数の当接面は、上記シート支持面に沿っており且つ上記第１向きと直交する幅方向に隙間を空けて並んでいる。上記複数の当接面の各々は、上記第１向きに沿って延びている。上記複数の当接面の各々は、上記第１向きの上流端の上記幅方向の位置が上記第１向きの下流端の上記幅方向の位置と異なる。
【０００９】
本構成によれば、堆積しようとする異物の大部分は、複数の当接面の間の隙間に落ちていく。これにより、シートが接触する異物を少なく抑えることができる。その結果、異物によるシートの給送の阻害やシート詰まりの発生の可能性を低くすることができる。
【００１０】
また、本構成によれば、各当接面の第１向きの上流端の位置は、各当接面の第１向きの下流端の位置と異なる。そのため、シートが給送される際に、シートの第１向きの端が各当接面に堆積した異物を押して、異物を当接面から隙間へ落とすことができる。これにより、当接面に堆積した異物を減らすことができる。
【発明の効果】
【００１１】
本発明によれば、複数のシートを分離するための当接面に異物が堆積しても、当接面によるシートの分離やシートの案内が妨げられる可能性を低くすることができる。
【図面の簡単な説明】
【００１２】
【図１】図１は、バイパストレイ７１が起立位置のときの複合機１０の外観斜視図である。
【図２】図２は、バイパストレイ７１が倒伏位置のときの複合機１０の外観斜視図である。
【図３】図３は、プリンタ部１１の内部構造を模式的に示す縦断面図である。
【図４】図４は、バイパストレイ７１及びガイド部９７の斜視図である。
【図５】図５は、ガイド部９７の平面図である。
【図６】図６は、図５のＶＩ−ＶＩ断面を示す断面図である。
【図７】図７は、変形例におけるガイド部９７の平面図である。
【図８】図８は、図７のＶＩＩＩ−ＶＩＩＩ断面を示す断面図である。
【図９】図９は、変形例におけるガイド部３２周辺を模式的に示す縦断面図である。
【発明を実施するための形態】
【００１３】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として、上下方向７が定義され、バイパストレイ７１が設けられている面を背面（後面８８）として前後方向８が定義され、複合機１０を後面８８と反対の前面８９から視て左右方向９（幅方向の一例）が定義される。上下方向７、前後方向８、及び左右方向９は互いに直交している。
【００１４】
［複合機１０の全体構成］
図１に示されるように、複合機１０は、概ね直方体に形成されている。複合機１０は、インクジェット記録方式で用紙Ｓ（図３参照）などのシートに画像を記録するプリンタ部１１と、シートの画像を読み取るスキャナ部１２とを備えている。複合機１０は、ファクシミリ機能及びプリント機能などの各種の機能を有している。なお、プリンタ部１１は、インクジェット記録方式以外、例えば電子写真方式でシートに画像を記録するものであってもよい。
【００１５】
図３に示されるように、プリンタ部１１は、内部に搬送路６５が形成された筐体１４（図１参照）、給送トレイ２０、給送部１５、第１搬送ローラ対５９、第２搬送ローラ対１８０、記録部２４、及び給送装置を備えている。給送装置は、バイパストレイ７１（トレイの一例）、給送部７２、及びガイド部９７を備えている。
【００１６】
図１に示されるように、筐体１４の後面８８に、支持部材１５１が取り付けられている。バイパストレイ７１は、支持部材１５１によって回動可能に支持されている。バイパストレイ７１は、用紙Ｓを支持するものである。図３に示される第１搬送ローラ対５９及び第２搬送ローラ対１８０は、用紙Ｓを搬送路６５に沿って搬送するものである。
【００１７】
図３に示されるように、給送トレイ２０は、各種サイズの用紙Ｓを収容可能である。給送トレイ２０は、筐体１４の前面８９に形成された開口（不図示）から後方に挿入可能であり且つ前方に脱抜可能である。
【００１８】
給送部１５は、給送トレイ２０から搬送路６５へ用紙Ｓを給送するものである。給送部７２は、バイパストレイ７１から搬送路６５へ用紙Ｓを給送するものである。記録部２４は、搬送路６５を搬送される用紙Ｓに画像を記録するものである。
【００１９】
給送部１５、記録部２４、第１搬送ローラ対５９、及び第２搬送ローラ対１８０などは、筐体１４の内部に配置されている。
【００２０】
図１に示されるように、プリンタ部１１の上方には、スキャナ部１２が設けられている。スキャナ部１２は、フラットベッドスキャナである。なお、フラットベッドスキャナの構造は公知であるので、ここでは詳細な説明が省略される。
【００２１】
［給送トレイ２０］
図３に示される給送トレイ２０は、前後方向８及び左右方向９の長さが上下方向７の長さよりも長く、上面が開放された箱型の形状である。給送トレイ２０の上方には、排出トレイ２１が設けられている。給送トレイ２０は、大小様々なサイズの用紙Ｓを支持面２３で支持することにより、複数枚の用紙Ｓを積層した状態で収容可能である。
【００２２】
筐体１４の下部に、ガイド部３２が配置されている。ガイド部３２は、筐体１４に挿入された状態の給送トレイ２０の後方に位置している。ガイド部３２は、後方へ向かうにしたがって上方へ傾斜した傾斜面３３を備えている。傾斜面３３は、給送ローラ２５によって給送トレイ２０から後方へ送られた用紙Ｓに当接される。これにより、用紙Ｓは、傾斜面３３に沿って搬送路６５へ向けて案内される。
【００２３】
［給送部１５］
図３に示されるように、給送部１５は、給送ローラ２５、給送アーム２６、及び駆動伝達機構２７を備えている。給送部１５は、給送トレイ２０の支持面２３の上方に設けられている。給送ローラ２５は、給送アーム２６の先端部に回転可能に軸支されている。給送アーム２６は、基端部に設けられた回動軸２８を中心として、矢印９８、９９の向きに回動可能である。給送アーム２６は、バネなどの付勢部材や自重などによって、矢印９９の向きに付勢されている。これにより、給送ローラ２５は、給送トレイ２０の支持面２３または支持面２３に支持された用紙Ｓに対して接離可能である。
【００２４】
給送ローラ２５には、モータ（不図示）の駆動力が駆動伝達機構２７を通じて伝達される。駆動伝達機構２７は、回動軸２８に伝達された回転を無端ベルトにより給送ローラ２５の軸へ伝達する。給送ローラ２５が、給送トレイ２０の支持面２３に支持された用紙Ｓのうち一番上の用紙Ｓに当接された状態で回転することにより、当該用紙Ｓが搬送路６５へ向けて給送される。なお、駆動伝達機構２７は、無端ベルト以外、例えばギヤ列で構成されていてもよい。
【００２５】
［搬送路６５］
図３に示されるように、筐体１４の内部空間に形成された搬送路６５は、給送トレイ２０の後端部から上方へＵターンするように湾曲して延びた後、前方へほぼ真っ直ぐに延びて排出トレイ２１に至っている。搬送路６５は、Ｕターンする湾曲路６５Ａと、真っ直ぐな直線路６５Ｂとに大別される。
【００２６】
湾曲路６５Ａは、用紙Ｓが通過可能な空間を隔てて対向するガイド部材１８及びガイド部材１９によって構成されている。直線路６５Ｂは、用紙Ｓが通過可能な空間を隔てて対向する記録部２４及びプラテン４２、並びにガイド部材３１及びガイド部材１９によって構成されている。
【００２７】
給送ローラ２５によって搬送路６５へ給送された用紙Ｓは、図３において一点鎖線で示される搬送向き１７に沿って、湾曲路６５Ａ及び直線路６５Ｂを搬送される。
【００２８】
ガイド部材３１は、ガイド部材１８よりも搬送向き１７の下流に設けられている。ガイド部材３１は、後述されるバイパス経路１８２を構成する部材でもある。
【００２９】
［第１搬送ローラ対５９及び第２搬送ローラ対１８０］
図３に示されるように、搬送路６５におけるガイド部材３１よりも搬送向き１７の下流には、第１搬送ローラ対５９が設けられている。第１搬送ローラ対５９は、第１搬送ローラ６０とピンチローラ６１とを有する。搬送路６５における第１搬送ローラ対５９よりも搬送向き１７の下流には、第２搬送ローラ対１８０が設けられている。第２搬送ローラ対１８０は、第２搬送ローラ６２と拍車ローラ６３とを有する。第１搬送ローラ６０及び第２搬送ローラ６２は、モータ（不図示）の回転が伝達されて回転する。第１搬送ローラ対５９及び第２搬送ローラ対１８０は、それぞれを構成する各ローラの間に用紙Ｓを挟持した状態において、第１搬送ローラ６０及び第２搬送ローラ６２が回転することによって、用紙Ｓを搬送路６５に沿って搬送向き１７に搬送する。
【００３０】
［記録部２４］
図３に示されるように、搬送路６５における第１搬送ローラ対５９と第２搬送ローラ対１８０との間に記録部２４が設けられている。記録部２４は、キャリッジ４０と記録ヘッド３９とを備えている。キャリッジ４０は、記録ヘッド３９を挟んで前後方向８に間隔を空けて配置された２つのガイドレール（不図示）によって、図３の紙面に直交する左右方向９に往復動可能に支持されている。２つのガイドレールの一方には、公知のベルト機構が設けられている。ベルト機構は、不図示のモータと連結されている。また、キャリッジ４０は、ベルト機構の無端ベルトと連結されている。モータによって駆動された無端ベルトの回動により、キャリッジ４０は、２つのガイドレールに沿って左右方向９に往復動する。
【００３１】
記録ヘッド３９は、キャリッジ４０に搭載されている。記録ヘッド３９の下面には、複数のノズル３８が形成されている。記録ヘッド３９には、インクカートリッジ（不図示）からインクが供給される。記録ヘッド３９は、複数のノズル３８からインクを微小なインク滴として選択的に吐出する。キャリッジ４０が左右方向９に移動しているときに、ノズル３８から、搬送路６５を搬送される過程においてプラテン４２に支持されている用紙Ｓに対してインク滴が吐出される。吐出されたインク滴が用紙Ｓに付着することにより、用紙Ｓに画像が記録される。
【００３２】
［バイパストレイ７１］
図１及び図２に示されるバイパストレイ７１は、支持部材１５１によって支持されている。バイパストレイ７１は、図１に示される起立位置と、図２及び図３に示される倒伏位置とに回動可能である。図１に示されるように、起立位置のバイパストレイ７１の外面は、上下方向７に沿っている。図２及び図３に示されるように、倒伏位置のバイパストレイ７１は、外面の裏面である支持面７１Ａ（シート支持面の一例）に、複数枚の用紙Ｓを積層した状態で支持可能である。支持面７１Ａは、左右方向９に沿った面である。
【００３３】
［給送部７２］
図２及び図３に示されるように、給送部７２は、支持部材１５１の一部であるアーム支持部１６０に支持されている。本実施形態において、給送部７２は、バイパストレイ７１の支持面７１Ａと対向して配置されている。
【００３４】
給送部７２は、給送ローラ７５、給送アーム７６、及び駆動伝達機構７９を備えている。給送ローラ７５は、給送アーム７６の先端部に回転可能に支持されている。給送アーム７６の基端部は、アーム支持部１６０によって、回動軸８１を中心として矢印６７、６８の方向に回動可能に支持されている。給送アーム７６は、バネなどの付勢部材や自重などによって、バイパストレイ７１へ向けて付勢されている。これにより、給送ローラ７５は、バイパストレイ７１における用紙Ｓの支持面７１Ａ、または、支持面７１Ａに支持された用紙Ｓに対して接離可能である。
【００３５】
給送ローラ７５には、モータ（不図示）の駆動力が駆動伝達機構７９を通じて伝達される。駆動伝達機構７９は、ギヤ列で構成されており、回動軸８１に伝達された回転を給送ローラ７５の軸へ伝達する。給送ローラ７５が、バイパストレイ７１に支持された用紙Ｓのうち一番上の用紙Ｓに当接された状態で回転することにより、当該用紙Ｓが第１向き８７に給送される。第１向き８７は、上下方向７及び左右方向９と直交する向きである。なお、駆動伝達機構７９は、ギヤ列以外、例えば無端ベルトで構成されていてもよい。
【００３６】
［バイパス経路１８２］
図２に示されるように、筐体１４の後面８８に開口１８４が設けられている。上述した支持部材１５１は、後面８８に、開口１８４を取り囲むようにして取り付けられている。図３に示されるように、筐体１４の内部には、開口１８４から第１搬送ローラ対５９へと延びるバイパス経路１８２が形成されている。
【００３７】
図３に示されるように、バイパス経路１８２は、筐体１４の内部において、開口１８４から前方且つ下方に向かって延びる傾斜した経路である。バイパス経路１８２は、ガイド部材３１及びガイド部９７によって構成されている。バイパス経路１８２は、搬送路６５より上方に形成されている。
【００３８】
バイパストレイ７１に支持された用紙Ｓは、給送ローラ７５によって第１向き８７に給送されることによって、開口１８４を通過してバイパス経路１８２に至る。当該用紙Ｓは、バイパス経路１８２に沿って第１向き８７へ案内されて、搬送路６５の直線路６５Ｂに至る。当該用紙Ｓは、第１搬送ローラ対５９によって直線路６５Ｂを搬送される。当該用紙Ｓは、記録部２４によって画像記録が行われて、第２搬送ローラ対１８０によって搬送されて排出トレイ２１へ排出される。
【００３９】
［ガイド部９７］
図３に示されるように、ガイド部９７は、給送ローラ７５よりも第１向き８７の下流に位置している。ガイド部９７は、倒伏位置のバイパストレイ７１の支持面７１Ａの第１向き８７の端部から概ね前方に延びている。バイパストレイ７１が倒伏位置のとき、ガイド部９７は、開口１８４を通じて複合機１０の外部に露出しており且つ上方を向いている。
【００４０】
ガイド部９７の後部には、バイパストレイ７１の支持面７１Ａに支持された用紙Ｓの先端（下端）が当接する。ガイド部９７の前部は、ガイド部材３１とともにバイパス経路１８２を構成する。
【００４１】
図４及び図５に示されるように、ガイド部９７は、本体９１と、分離片９２と、複数のリブ９３とを備えている。本体９１は、板状である。分離片９２は、本体９１の上面９１Ａ（第１面の一例）の左右方向９の中央部から第２向き８６へ突出している。第２向き８６は、第１向き８７及び左右方向９と直交する方向のうち、給送ローラ７５に近づく向きである（図３参照）。複数のリブ９３は、上面９１Ａにおける分離片９２の右方及び左方から第２向き８６へ突出している。つまり、分離片９２は、左右方向９に隣り合う２つのリブ９３の間に位置している。なお、図４〜図６において、リブ９３は６本設けられているが、リブ９３の数は６本に限らない。
【００４２】
分離片９２は、第１向き８７（前後方向８）に沿って並んだ複数の歯を備えている。複数の歯に、支持面７１Ａに支持された複数の用紙Ｓの先端が当接する。この状態で、支持面７１Ａに支持された複数枚の用紙Ｓが給送ローラ７５によって第１向き８７に給送された場合、分離片９２は、複数枚の用紙Ｓのうち給送ローラ７５と当接している最上位置の用紙Ｓ（最も支持面７１Ａから離れた用紙Ｓ）を、他の用紙Ｓから分離する。これにより、最上位置の用紙Ｓのみが、バイパス経路１８２へ給送される。
【００４３】
各リブ９３は、上面５１（当接面の一例）と、第１側面５２と、第２側面５３とを備えている。
【００４４】
上面５１は、リブ９３の突出先端である。上面５１には、バイパストレイ７１の支持面７１Ａに支持された用紙Ｓの先端（第１向き８７の下流端）が当接する。給送ローラ７５によって給送され、分離片９２によって分離された用紙Ｓは、概ね下方を向いた状態から前方を向いた状態へ変化して、上面５１に沿って前方へ案内される。
【００４５】
ガイド部９７を第２向き８６と逆向きの第３向き８５（図３参照）へ視た場合に、図５に示されるように、第１側面５２及び第２側面５３は、上面５１を挟んでいる。
【００４６】
第１側面５２は、リブ９３における左右方向９の外を向く面である。つまり、分離片９２より右方に位置する第１側面５２は右方を向いており、分離片９２より左方に位置する第１側面５２は左方を向いている。図４に示されるように、分離片９２よりも右方に位置する第１側面５２は、左右方向９における右方から左方へ向かうにしたがって第２向き８６へ向かうように傾斜している。一方、分離片９２よりも左方に位置する第１側面５２は、左右方向９における左方から右方へ向かうにしたがって第２向き８６へ向かうように傾斜している。第１側面５２の第２向き８６の端は、上面５１と繋がっている。
【００４７】
図５に示されるように、第２側面５３は、リブ９３における左右方向９の内を向く面である。つまり、分離片９２より右方に位置する第２側面５３は左方を向いており、分離片９２より左方に位置する第２側面５３は右方を向いている。図４及び図６に示されるように、第２側面５３は、上下方向７に沿って延びている。つまり、本実施形態において、第２側面５３の上面９１Ａに対してなす角度は直角である。第２側面５３の第２向き８６の端は、上面５１と繋がっている。
【００４８】
図６に示されるように、第１側面５２の上面９１Ａに対してなす角度θ１は、第２側面５３の上面９１Ａに対してなす角度θ２よりも大きい。ここで、図５に示されるように、上面９１Ａは、左右方向９及び第１向き８７に拡がる面である。つまり、角度θ１は、第１側面５２の第１向き８７に対してなす角度であり、角度θ２は、第２側面５３の第１向き８７に対してなす角度である。なお、図６では、角度θ１が鈍角で、角度θ２が直角であるが、角度θ１、θ２は前記以外の値でもよい。例えば、角度θ１、θ２の双方が鈍角でもよいし、角度θ１、θ２の双方が直角でもよいし、角度θ１が鈍角で角度θ２が鋭角でもよい。
【００４９】
図４及び図５に示されるように、複数のリブ９３（上面５１、第１側面５２、及び第２側面５３）は、左右方向９に間隔を空けて並んでいる。つまり、左右方向９に隣り合う２つのリブ９３の間には、空間９４が形成されている。空間９４は、隣り合う２つのリブ９３のうち一方のリブ９３の第１側面５２と、隣り合う２つのリブ９３のうち他方のリブ９３の第２側面５３と、上面９１Ａとによって区画されており、且つ第２向き８６に開放されている。空間９４は、上面５１よりも第３向き８５に位置している。
【００５０】
各リブ９３（上面５１、第１側面５２、及び第２側面５３）は、第１向き８７の上流から下流へ向けて延びている。詳細には、分離片９２の右方に位置するリブ９３は、第１向き８７へ向かうにしたがって右方へ向かうように、第１向き８７に対して傾斜した向きへ延びている。分離片９２の左方に位置するリブ９３は、第１向き８７へ向かうにしたがって左方へ向かうように、第１向き８７に対して傾斜した向きへ延びている。つまり、複数のリブ９３は、第１向き８７へ向かうにしたがって左右方向９の外へ向かうように延びている。以上より、各リブ９３は、第１向き８７の上流端の左右方向９の位置が第１向き８７の下流端の左右方向９の位置と異なっている。
【００５１】
複数のリブ９３は、左右方向９の中央の近くに位置するリブ９３である程、第１向き８７に対する傾斜角度が大きい。具体的には、図５に示されるように、角度θ３は角度θ４よりも大きく、角度θ４は角度θ５よりも大きい。換言すると、左右方向９の中央部に位置するリブ９３（例えばリブ９３Ａ）の上面５１（第１当接面の一例）の第１向き８７の上流端の位置と下流端の位置との左右方向９の距離Ｌ１は、リブ９３Ａよりも左右方向９の外方に位置するリブ９３（例えばリブ９３Ｂ）の上面５１（第２当接面の一例）の第１向き８７の上流端の位置と下流端の位置との左右方向９の距離Ｌ２よりも長い。
【００５２】
図６に示されるように、複数のリブ９３において、左右方向９の内に位置するリブ９３である程、高さが高い。つまり、複数のリブ９３の上面５１は、左右方向９において分離片９２に近いもの程、第２向き８６に位置する。
【００５３】
複数のリブ９３の高さ（第２向き８６の長さ）は、分離片９２よりも低い。つまり、分離片９２の第２向き８６の端は、全てのリブ９３の上面５１よりも第２向き８６に位置する。
【００５４】
［実施形態の効果］
本実施形態によれば、堆積しようとする異物の大部分は、複数の上面５１の間の隙間に位置する空間９４に落ちていく。これにより、用紙Ｓが接触する異物を少なく抑えることができる。その結果、異物による用紙Ｓの給送の阻害や用紙Ｓの詰まりの発生の可能性を低くすることができる。
【００５５】
また、本実施形態によれば、各上面５１の第１向き８７の上流端の位置は、各上面５１の第１向き８７の下流端の位置と異なる。そのため、用紙Ｓが給送される際に、用紙Ｓの第１向き８７の端が各上面５１に堆積した異物を押して、異物を上面５１から空間９４へ落とすことができる。これにより、上面５１に堆積した異物を減らすことができる。
【００５６】
また、仮に、上面５１が第１向き８７に沿って延びている場合、用紙Ｓが給送される際に、上面５１に堆積した異物を第１向き８７に押しても、異物の多くは第１向き８７に移動するだけで上面５１から落下しない。また、仮に、上面５１が左右方向９に沿って延びている場合、用紙Ｓの先端が上面５１を備えたリブ９３などに引っ掛かりやすい。
【００５７】
本実施形態によれば、上面５１は、第１向き８７へ向かうにしたがって左右方向９へ向かうように延びている。そのため、用紙Ｓが給送される際に、用紙Ｓが上面５１に堆積した異物を第１向き８７に押して、異物を上面５１から落とすことができる。これにより、上面５１に堆積した異物を減らすことができる。また、用紙Ｓの先端がリブ９３などに引っ掛かる可能性を、上面５１が左右方向９に沿って延びている構成に比べて低くすることができる。
【００５８】
また、本実施形態によれば、上面５１は、第１向き８７へ向かうにしたがって左右方向９の外へ向かうように延びている。そのため、用紙Ｓに押されて上面５１から落下する異物を、左右方向９の外方に追いやるように落下させることができる。これにより、給送装置の左右方向９の中央部に異物が堆積することを低減することができる。
【００５９】
また、本実施形態によれば、第１側面５２の傾斜は第２側面５３に比べて緩やかである。そのため、用紙Ｓは容易に上面５１に乗り上げることができる。これにより、例えば第１側面５２の傾斜が急峻な場合に比べて、用紙Ｓが第１側面５２に引っ掛かる可能性を低くすることができる。また、第２側面５３の傾斜は第１側面５２に比べて急峻である。そのため、上面５１に堆積した異物が給送される用紙Ｓに押された場合に、当該異物を上面５１から落とし易い。
【００６０】
また、用紙Ｓの左右方向９の両端部は、用紙Ｓの左右方向９の中央部に比べて変形し易い。本実施形態によれば、左右方向９の外方に位置する上面５１（例えばリブ９３Ｂの上面５１（図５参照））の第１向き８７に対する傾斜は少ない。これにより、用紙Ｓの左右方向９の両端部が当該上面５１を備えるリブ９３Ｂなどに引っ掛かる可能性を低くすることができる。一方、左右方向９の中央部に近い上面５１（例えばリブ９３Ａの上面５１（図５参照））の第１向き８７に対する傾斜は大きい。これにより、当該上面５１に堆積する異物を落としやすくすることができる。
【００６１】
また、本実施形態によれば、分離片９２の第２向き８６の端は、上面５１より第２向き８６に位置する。そのため、用紙Ｓが分離片９２に当接し易くすることができる。これにより、分離片９２による用紙Ｓの分離を確実に実行することができる。
【００６２】
また、本実施形態によれば、複数の上面５１は、左右方向９において分離片９２に近いもの程、第２向き８６に位置している。そのため、用紙Ｓのうち左右方向９において分離片９２に近い部分は、用紙Ｓのうち左右方向９において分離片９２から離れた部分よりも複数の上面５１に当接し易い。これにより、用紙Ｓが分離片９２に当接し易くすることができる。これにより、分離片９２による用紙Ｓの分離を確実に実行することができる。
【００６３】
また、外部に露出している上面５１には、異物が堆積し易い。よって、本実施形態は、上述した効果を奏するための好適な適用例である。
【００６４】
［変形例］
各リブ９３は、複数の子リブ１９３で構成されていてもよい。例えば、図７に示されるように、６本のリブ９３の各々は、５本の子リブ１９３で構成されていてもよい。なお、各リブ９３を構成する子リブ１９３の数は、５本に限らない。また、各リブ９３を構成する子リブ１９３の数は、リブ９３毎に異なる数であってもよい。
【００６５】
各子リブ１９３は、上面１０１（子当接面の一例）と、第１側面１０２と、第２側面１０３とを備えている。
【００６６】
上面１０１は、子リブ１９３の突出先端である。上面１０１は、上面５１（図５参照）と同様に、用紙Ｓを案内する。第１側面１０２及び第２側面１０３は、子リブ１９３の左右両端から第３向き８５へ延びた面である。図７の構成では、第１側面１０２の上面１０１に対してなす角度、及び第２側面１０３の上面１０１に対してなす角度は共に直角であるが、各角度は直角でなくてもよい。
【００６７】
各子リブ１９３（上面１０１、第１側面１０２、及び第２側面１０３）は、第１向き８７に沿って延びている。なお、各子リブ１９３は、リブ９３と同様に、第１向き８７に対して傾斜していてもよい。
【００６８】
各リブ９３を構成する５本の子リブ１９３は、左右方向９に間隔を空けて並んで形成されている。５本の子リブ１９３のうち第１向き８７の下流に位置する子リブ１９３である程、左右方向９の外に位置している。つまり、図７に示される変形例においても、リブ９３の第１向き８７の上流端の位置（５本の子リブ１９３のうち最も第１向き８７の上流に位置する子リブ１９３の第１向き８７の上流端の位置）と、リブ９３の第１向き８７の下流端の位置（５本の子リブ１９３のうち最も第１向き８７の下流に位置する子リブ１９３の第１向き８７の下流端の位置）とは、左右方向９に異なる。なお、５本の子リブ１９３の左右方向９の位置関係は、図７に示される位置関係に限らない。例えば、５本の子リブ１９３のうち第１向き８７の下流に位置する子リブ１９３である程、左右方向９の内に位置していてもよい。
【００６９】
５本の子リブ１９３のうち、第１向き８７に隣り合う２本の子リブ１９３は、左右方向９に視て一部重複している。例えば、５本の子リブ１９３のうち第１向き８７の下流に位置する子リブ１９３（例えば図７に示される子リブ１９３Ａ）の第１向き８７の上流端部と、子リブ１９３Ａの第１向き８７の上流に子リブ１９３Ａと隣り合う子リブ１９３Ｂの第１向き８７の下流端部とは、左右方向９に視て重複している。詳細には、子リブ１９３Ａの第１向き８７の上流端は、子リブ１９３Ｂの第１向き８７の下流端よりも第１向き８７の上流に位置している。また、子リブ１９３Ａの第１向き８７の下流端は、子リブ１９３Ｂの第１向き８７の下流端よりも第１向き８７の下流に位置している。子リブ１９３Ａの上面１０１は下流子当接面の一例であり、子リブ１９３Ｂの上面１０１は上流子当接面の一例である。なお、第１向き８７に隣り合う２本の子リブ１９３は、左右方向９に視て重複していなくてもよい。
【００７０】
上記変形例のように、リブ９３が複数の子リブ１９３で構成されている場合、子リブ１９３の上面１０１に堆積した異物を、用紙Ｓが第１向き８７に押すことによって、上面１０１の第１向き８７の端から落とすことができる。これにより、上面１０１に堆積した異物を減らすことができる。
【００７１】
また、上記変形例によれば、第１向き８７に隣り合う２つの子リブ１９３（２つの上面１０１）は、左右方向９に視て一部が重複している。そのため、用紙Ｓが第１向き８７に給送される過程において、当該用紙Ｓは、何れかの子リブ１９３の上面１０１に支持された状態に維持される。換言すると、当該用紙Ｓは、何れの子リブ１９３の上面１０１にも支持されていない状態とはならない。これにより、給送される用紙Ｓの姿勢を安定させることができる。
【００７２】
なお、図７では、それぞれが５本の子リブ１９３で構成された３本のリブ９３において、第１向き８７の最上流の位置（詳細には第１向き８７の最上流に位置する子リブ１９３の第１向き８７の上流端）と第１向き８７の最下流の位置（詳細には第１向き８７の最下流に位置する子リブ１９３の第１向き８７の下流端）の左右方向９の距離は同一であった。しかし、上記実施形態（図５などに示された実施形態）と同様に、３本のリブ９３の当該距離は互いに異なっていてもよい。
【００７３】
図８に示されるように、各子リブ１９３の上面１０１は、第１向き８７の上端部に傾斜面１０１Ａを備えている。傾斜面１０１Ａは、第１向き８７の下流へ向かうにしたがって第２向き８６へ向かっている。なお、上面１０１は、傾斜面１０１Ａを備えていなくてもよい。
【００７４】
上記変形例によれば、各子リブ１９３が第１向き８７の上流端部に傾斜面１０１Ａを備えているため、第１向き８７に給送される用紙Ｓが子リブ１９３の第１向き８７の上流端部に引っ掛かる可能性を低くすることができる。
【００７５】
上記実施形態では、外部に露出しているガイド部９７が、バイパストレイ７１に支持された用紙Ｓの先端が当接するリブ９３を備えていた（図４参照）。しかし、リブ９３を備えているのは、ガイド部９７に限らない。例えば、外部に露出していないガイド部３２（図３参照）が、給送トレイ２０に支持された用紙Ｓの先端（後端）が当接するリブ９３を備えていてもよい。
【００７６】
この場合、図９に示されるように、リブ９３は、ガイド部３２の傾斜面３３（第１面の一例）から突出向き８４（第２向きの一例）に突出している。突出向き８４は、搬送向き１７（第１向きの一例）及び左右方向９と直交する方向のうち、給送ローラ２５に近づく向きである（図３参照）。なお、ガイド部３２は、リブ９３に加えて分離片９２を備えていてもよい。複数のリブ９３及び分離片９２の構成及び配置位置は、上記実施形態と同様である。
【００７７】
図９に示されるように、ガイド部３２の傾斜面３３は、搬送向き１７における給送トレイ２０の支持面２３とガイド部材１８のガイド面１８Ａ（第２面の一例）との間に位置している。つまり、ガイド面１８Ａは、傾斜面３３に支持されたリブ９３の上面５１よりも搬送向き１７の下流に位置している。ガイド面１８Ａは、給送ローラ２５によって給送されてきた用紙Ｓの裏面に当接して用紙Ｓを案内する面である。ここで、用紙Ｓの裏面は、用紙Ｓの面のうち、給送トレイ２０に支持された状態において支持面２３を向く面である。
【００７８】
ガイド面１８Ａの搬送向き１７の上流端１８Ｂの突出向き８４における高さは、上面５１と傾斜面３３との間である。詳細には、上面５１の搬送向き１７の下流端５１Ａは、ガイド面１８Ａの搬送向き１７の上流端１８Ｂよりも突出向き８４に位置する。また、ガイド面１８Ａの搬送向き１７の上流端１８Ｂは、傾斜面３３の搬送向き１７の下流端３３Ａよりも突出向き８４に位置する。
【００７９】
上記変形例によれば、上面５１の搬送向き１７の下流端５１Ａは、ガイド面１８Ａの搬送向き１７の上流端１８Ｂよりも突出向き８４に位置する。これにより、用紙Ｓが上面５１からガイド面１８Ａへ給送される際に、当該用紙Ｓがガイド面１８Ａを構成する部材に引っ掛かる可能性を低くすることができる。
【００８０】
上記変形例によれば、ガイド面１８Ａの搬送向き１７の上流端１８Ｂは、傾斜面３３の搬送向き１７の下流端３３Ａよりも突出向き８４に位置する。そのため、複数の上面５１の間の空間に落ちた異物がガイド面１８Ａに付着する可能性を低くすることができる。
【００８１】
なお、図９に示される構成とは異なり、ガイド面１８Ａの搬送向き１７の上流端１８Ｂの突出向き８４における高さは、上面５１の搬送向き１７の下流端５１Ａより高くてもよいし、傾斜面３３の搬送向き１７の下流端３３Ａより低くてもよい。
【００８２】
上記実施形態では、複数のリブ９３は、第１向き８７へ向かうにしたがって左右方向９の外へ向かうように延びていた（図５参照）。しかし、複数のリブ９３は、必ずしも、第１向き８７へ向かうにしたがって左右方向９の外へ向かうように延びている必要はない。例えば、複数のリブ９３は、上記実施形態とは逆に、第１向き８７へ向かうにしたがって左右方向９の内へ向かうように延びていてもよい。
【００８３】
上記実施形態では、複数のリブ９３は、左右方向９の内に位置するリブ９３である程、第１向き８７に対する傾斜角度が大きかった（図５参照）。しかし、各リブ９３の第１向き８７に対する傾斜角度の大小関係は、図５に示されているような関係に限らない。例えば、全てのリブ９３の第１向き８７に対する傾斜角度が同一であってもよい。
【００８４】
上記実施形態では、ガイド部９７は、本体９１と分離片９２とリブ９３とを備えており、分離片９２及びリブ９３は本体９１から突出していた。しかし、ガイド部９７の構成は、これに限らない。例えば、ガイド部９７は、本体９１を備えず分離片９２及びリブ９３のみで構成されていてもよい。この場合、例えば、分離片９２及びリブ９３は、左右方向９に延びたバーなどによって支持されている。また、この場合、空間９４は、隣り合う２つのリブ９３のうち一方のリブ９３の第１側面５２と、隣り合う２つのリブ９３のうち他方のリブ９３の第２側面５３とによって区画されており、且つ第２向き８６及び第３向き８５に開放されている。また、例えば、ガイド部９７は、第１側面５２及び第２側面５３を有し第２向き８６に長いリブ９３の代わりに、第２向き８６に短い（つまり第１側面５２及び第２側面５３が短い）薄板を備えていてもよい。
【００８５】
上記実施形態では、複数のリブ９３のうち、左右方向９の内に位置するリブ９３である程、高さが高かった（図６参照）。しかし、複数のリブ９３の高さ関係は、図６に示されるものに限らない。例えば、全てのリブ９３が同じ高さであってもよい。
【符号の説明】
【００８６】
１０・・・複合機
５１・・・上面
７１・・・バイパストレイ（トレイ）
７１Ａ・・・支持面（シート支持面）
７５・・・給送ローラ
８６・・・第２向き
８７・・・第１向き
９１・・・本体
９３・・・リブ
【図１】
2019116354.tif 000003
【図２】
2019116354.tif 000004
【図３】
2019116354.tif 000005
【図４】
2019116354.tif 000006
【図５】
2019116354.tif 000007
【図６】
2019116354.tif 000008
【図７】
2019116354.tif 000009
【図８】
2019116354.tif 000010
【図９】
2019116354.tif 000011